(57)【要約】【課題】背筋を十分に伸ばすことができる椅子式マッサージ装置を提供する。【解決手段】座部１１及びこの座部１１に設けられた背凭れ部１４を有する椅子本体１０ａと、この椅子本体１０ａの人体当接面に設けられたエアバッグＢ５〜Ｂ９と、このエアバッグＢ５〜Ｂ９を膨張収縮させる給排気装置１００とを備えた椅子式マッサージ装置であって、背凭れ部１４は、長手方向中間部で背凭れ上部１４ａと背凭れ下部１４ｂとに分割され、背凭れ上部１４ａは、背凭れ下部１４ｂに対して後方方向に回動可能にされていると共に、背凭れ上部１４ａと背凭れ下部１４ｂとの間には、背凭れ上部１４ａを所定の回動角度に保持することができる回動保持機構２０を設けた。【選択図】　　　　図１
2004057428.tif 000002
【特許請求の範囲】
【請求項１】
座部及び該座部に設けられた背凭れ部を有する椅子本体と、該椅子本体の人体当接面に設けられたエアバッグと、該エアバッグを膨張収縮させる給排気装置とを備えた椅子式マッサージ装置であって、
前記背凭れ部は、長手方向中間部で背凭れ上部と背凭れ下部とに分割され、前記背凭れ上部は、該背凭れ上部と前記背凭れ下部との間に設けられた回動保持機構により、前記背凭れ下部に対して後方方向に回動可能に支持されていると共に、所定の回動角度に保持されることを特徴とする椅子式マッサージ装置。
【請求項２】
請求項１に記載の椅子式マッサージ装置において、前記背凭れ上部と前記背凭れ下部とに跨って配設されたエアバッグを有することを特徴とする椅子式マッサージ装置。
【請求項３】
請求項１に記載の椅子式マッサージ装置において、前記エアバッグは、前記背凭れ上部と前記背凭れ下部とにそれぞれ設けられ、前記背凭れ上部と前記背凭れ下部との分割部分を挟んで配設されたことを特徴とする椅子式マッサージ装置。
【発明の詳細な説明】
【０００１】
【発明の属する技術分野】
この発明は、背凭れ部を有する椅子式マッサージ装置に関するものである。
【０００２】
【従来の技術】
従来の椅子式マッサージ装置としては、座部及びこの座部に取り付けられた背凭れ部を有する椅子本体を備えると共に、背凭れ部の長手方向中間部が背凭れ上部と背凭れ下部とに分割されて、この背凭れ上部が前側に倒せるようになっているものが知られている。
【０００３】
また、椅子本体には、座部に座った使用者が当接する面にエアバッグが設けられており、このエアバッグを給排気装置により膨張収縮することでマッサージを行っている。
【０００４】
そして、背凭れ上部を前側に倒すことで収納しやすくしたり、リクライニング時に頭を少し上げたりしていた。
【０００５】
【発明が解決しようとする課題】
しかしながら、上述の椅子式マッサージ装置では、背中を後方方向に反らせて背筋を伸ばそうとすると、背凭れ部が背中の形状に沿って変形しないので、背筋を十分に伸ばすことが困難であった。
【０００６】
したがって、この発明は、背筋を十分に伸ばすことができる椅子式マッサージ装置を提供することを目的としている。
【０００７】
【課題を解決するための手段】
上記課題を解決するため、この発明の椅子式マッサージ装置は、座部及びこの座部に設けられた背凭れ部を有する椅子本体と、この椅子本体の人体当接面に設けられたエアバッグと、このエアバッグを膨張収縮させる給排気装置とを備え、背凭れ部は、長手方向中間部で背凭れ上部と背凭れ下部とに分割され、背凭れ上部はこの背凭れ上部と背凭れ下部との間に設けられた回動保持機構により、背凭れ下部に対して後方方向に回動可能に支持されていると共に、所定の回動角度に保持されたことを特徴としている。
【０００８】
この発明によれば、背凭れ部は長手方向中間部で背凭れ上部と背凭れ下部とに分割され、背凭れ上部を後方方向に回動可能に支持すると共に、背凭れ上部を所定の回動角度に保持することができる回動保持機構を、背凭れ上部と背凭れ下部との間に設けたので、背中を背凭れ部に当接させた状態で後方方向に反らして背筋を伸ばした際に、背中の形状に沿って背凭れ上部が後方方向に倒れて背中の動きを阻害することがない。そのため、背筋を十分に伸ばすことが可能となる。
【０００９】
また、背凭れ上部を所定の回動角度に倒した状態に保持することができて、安定した体勢で背筋を十分に伸ばすことができる。
【００１０】
【発明の実施の形態】
以下、図面に基づいてこの発明の実施の形態を説明する。
【００１１】
図１に示す椅子式マッサージ装置１０は、座部１１と、座部１１の両側部に設けられて座部１１を支持している一対の支持脚部１２、１２と、この支持脚部１２、１２の上部に設けられたアームレスト部１３、１３と、座部１１の後縁部に前後に起倒調節可能に設けられた背凭れ部１４と、座部１１の前に設けられた下肢受部１５とを有する椅子本体１０ａと、座部１１の下側に設けられた給排気装置１００とを備えている。なお、一方のアームレスト部１３には操作部１７が設けられており、この操作部１７には給排気装置１００を駆動させる操作スイッチ（図示せず）が設けられている。また、下肢受部１５には足を入れる一対の凹部１５ａ、１５ｂが形成されている。
【００１２】
そして、椅子本体１０ａの人体当接面である座部１１の上面には、臀部及び腿部をマッサージするエアバッグＢ１、Ｂ２が取り付けられ、下肢受部１５の凹部１５ａ、１５ｂの側面には、ふくらはぎ部をマッサージするエアバッグＢ３、Ｂ４が取り付けられ、背凭れ部１４の上面には、腰部をマッサージするエアバッグＢ５、Ｂ６と、肩部をマッサージするエアバッグＢ７、Ｂ８と、これらのエアバッグＢ５〜Ｂ８の中央に位置して長手方向に延びる背部をマッサージするエアバッグＢ９とが取り付けられている。さらに、この背凭れ部１４の上端部近傍には首部をマッサージする施療子Ｓが取り付けられている。
【００１３】
ここで、「人体当接面」とは、座部１１に座った使用者が当接する面、即ち使用者の被施療部が当接する面を指す。
【００１４】
なお、これらのエアバッグＢ１〜Ｂ９及び施療子Ｓは図示しないカバーによって覆われている。また、各エアバッグＢ１〜Ｂ９は給排気装置１００に図示しないホースによって連結されている。さらに、施療子Ｓは、一対のモミ玉Ｓ１、Ｓ１とエアバッグＳ２を有し、このエアバッグＳ２もホース（図示せず）によって給排気装置１００に連結されている。
【００１５】
給排気装置１００は、図２に示すように、ポンプ１０１と複数の電磁弁１０２〜１１１と制御装置１１２とを有している。
【００１６】
給排気装置１００の電磁弁１０２が開成されるとポンプ１０１とエアバッグＢ１とが連通され、ポンプ１０１から図示しないホースを介してエアバッグＢ１にエアが供給されるようになっている。そして、電磁弁１０２が閉成されるとエアバッグＢ１が大気に開放されてエアバッグＢ１中のエアが排気されるようになっている。
【００１７】
同様に、各電磁弁１０３〜１１１が開成されるとポンプ１０１とエアバッグＢ２〜Ｂ９、Ｓ２が連通され、ポンプ１０１から図示しないホースを介してエアバッグＢ２〜Ｂ９、Ｓ２にエアが供給されるようになっている。そして、各電磁弁１０３〜１１１が閉成されるとエアバッグＢ２〜Ｂ９、Ｓ２が大気に開放されてエアバッグＢ２〜Ｂ９、Ｓ２中のエアが排気されるようになっている。
【００１８】
制御装置１１２はＣＰＵ等を有しており、操作部１７の操作スイッチの操作に基づいてポンプ１０１、電磁弁１０２〜１１１等を制御するようになっている。
【００１９】
また、背凭れ部１４は、長手方向中間部で背凭れ上部１４ａと背凭れ下部１４ｂとに分割されている。
【００２０】
背凭れ上部１４ａの内部には上方に延びる上フレーム２１ａが配設されて、上プレート２２ａを支持している。この上プレート２２ａにはエアバッグＢ７、Ｂ８及びエアバッグＢ９の上端部が固定されている。
【００２１】
また、背凭れ下部１４ｂの内部には座部１１に接続された下フレーム２１ｂが配設されて、下プレート２２ｂを支持している。この下プレート２２ｂにはエアバッグＢ５、Ｂ６が固定されていると共に、エアバッグＢ９の下端部が位置している。
【００２２】
そして、上フレーム２１ａと下フレーム２１ｂとは、背凭れ上部１４ａを背凭れ下部１４ｂに対して後方方向（人体当接面と反対の方向）に回動可能に支持すると共に、背凭れ上部１４ｂを所定の回動角度に保持することができる回動保持機構２０によって連結されている。
【００２３】
つまり、エアバッグＢ９は、図４（ａ）に示すように、背凭れ上部１４ａと背凭れ下部１４ｂとに跨って配設されている。そして、エアバッグＢ５とＢ７とは、背凭れ上部１４ａと背凭れ下部１４ｂとの分割部分を挟んで、この背凭れ上部１４ａと背凭れ下部１４ｂとにそれぞれ設けられている。また、エアバッグＢ６とＢ８とは、図４（ｂ）に示すように、背凭れ上部１４ａと背凭れ下部１４ｂとの分割部分を挟んで、この背凭れ上部１４ａと背凭れ下部１４ｂとにそれぞれ設けられている。
【００２４】
回動保持機構２０は、例えば、鋸歯状の歯をもった歯車と逆転止めの爪とを組み合わせて、所定角度で間欠的な回転運動をするように作られた公知の手段であるラチェット装置である。
【００２５】
次に、この椅子式マッサージ装置１０の作用について説明する。
【００２６】
エアバッグＢ１〜Ｂ９でマッサージを行う場合には、まず、背凭れ部１４を図１に示す状態のままで操作部１７に設けられた操作スイッチを入れる。そして、この操作スイッチに基づいて給排気装置１００の制御装置１１２が駆動し、ポンプ１０１と電磁弁１０２〜１１１とを制御していき、各エアバッグＢ１〜Ｂ９が膨張収縮されて所定のマッサージが行われていく。
【００２７】
同様に、施療子Ｓでマッサージを行う場合にも、背凭れ部１４を図１に示す状態のままにしてエアバッグＳ２を膨張収縮させてモミ玉Ｓ１、Ｓ１を動かし、所定のマッサージを行っていく。
【００２８】
一方、背中を反らして背筋を伸ばす場合には、まず、回動保持機構２０を回動可能な状態にさせておく。そして、背凭れ部１４に背中を当接させた状態でこの背中を反らすと、背凭れ部１４が押されて回動保持機構２０が後方方向（図４において時計回り方向）に向かって回動し、図４に示すように背中の形状に沿って背凭れ上部１４ａが後方方向に倒れる。また、背中が背凭れ部１４に当接したままなので、安定した体勢で背筋を十分に伸ばすことができる。
【００２９】
これにより、背凭れ部１４が背中の動きを阻害することなく、十分に背筋を伸ばすことができる。
【００３０】
また、背凭れ上部１４ａを所定角度回動させた状態でエアバッグＢ９を膨張させると、背中を反らしたままエアバッグＢ９によって背部のマッサージができると共に、上方に向かって背中が押されてさらに背筋を伸ばすことができる。
【００３１】
また、このエアバッグＢ９は背凭れ上部１４ａと背凭れ下部１４ｂとの間に跨って設けられているので、回動保持機構２０がエアバッグＢ９で覆われ、この回動保持機構２０が背中に当接することを防止できる。
【００３２】
一方、背凭れ上部１４ａを所定角度回動させた状態でエアバッグＢ５〜Ｂ８を膨張させると背中を反らしたままエアバッグＢ５〜Ｂ８によって腰部及び肩部のマッサージができる共に、上方に向かって腰部及び肩部が押されてさらに背筋を伸ばすことができる。
【００３３】
また、このエアバッグＢ５〜Ｂ８は、回動保持機構２０を挟んで背凭れ上部１４ａと背凭れ下部１４ｂとにそれぞれ設けられているので、回動保持機構２０を回動させる際に、エアバッグＢ５〜Ｂ８が回動保持機構２０に挟まったり、引っ掛かったりすることなくスムーズに回動させることができる。
【００３４】
以上、この発明の実施の形態の一つを図面により詳述してきたが、具体的な構成は上述の実施の形態に限らず、この発明の要旨を逸脱しない範囲の設計の変更等があってもこの発明に含まれる。
【００３５】
例えば、ここで、回動保持機構２０は背凭れ上部１４ａを後方方向にのみ倒すことができるが、背凭れ上部１４ａを背凭れ下部１４ｂに対して前方方向に向かって倒すことができるようにしてもよい。
【００３６】
【発明の効果】
この発明によれば、背筋を十分に伸ばすことができる椅子式マッサージ装置を提供することができる。
【図面の簡単な説明】
【図１】この発明にかかる椅子式マッサージ装置の斜視図である。
【図２】給排気装置の構成を示したブロック図である。
【図３】（ａ）図１のＡ−Ａにおける断面を模式的に示す説明図である。
（ｂ）図１のＢ−Ｂにおける断面を模式的に示す説明図である。
【図４】背凭れ上部を後方方向に倒した状態の断面を模式的に示す説明図である。
【符号の説明】
１０　　　　　　椅子式マッサージ装置
１０ａ　　　　　椅子本体
１１　　　　　　座部
１４　　　　　　背凭れ部
１４ａ　　　　　背凭れ上部
１４ｂ　　　　　背凭れ下部
２０　　　　　　回動保持機構
Ｂ５〜Ｂ９　　　エアバッグ
【図１】
2004057428.tif 000003
【図２】
2004057428.tif 000004
【図３】
2004057428.tif 000005
【図４】
2004057428.tif 000006